(57)【要約】  動力工具、および動力工具用のチャック解除装置に関する。上記動力工具が、チャック本体を有するチャックと、チャック内に作動部材をロックするためのロック手段とを含んでおり、上記動力工具が、調節モードにおいて上記作動部材が上記チャック内で解除されている開口位置と、上記ロック手段が上記チャック内に上記作動部材を固定しているロック位置との間を上記ロック手段が運動するように動作可能であって、上記動力工具が、作動モードにおいて上記作動部材が回転を駆動させて作業を行うように動作可能である。上記チャック本体が、上記チャック解除装置と直接係合する係合部分を有しており、ユーザが上記チャック本体を手動で運動させることができ、それによって、上記ロック手段を上記ロック位置と上記開口位置との間で運動させることができる。
2009541068.tif 000002
【特許請求の範囲】
【請求項１】
動力工具用のチャック解除装置であって、
上記動力工具が、チャック本体を有するチャックと、上記チャック内に作動部材をロックするためのロック手段とを含んでおり、
上記動力工具は、調節モードにおいて上記作動部材が上記チャック内で解除されている開口位置と、上記ロック手段が上記チャック内に上記作動部材を固定しているロック位置との間を上記ロック手段が運動するように動作可能であって、
上記動力工具は、作動モードにおいて上記作動部材の回転を駆動させて作業を行うように動作可能であって、
上記チャック解除装置が、上記チャック本体の一部分と直接係合する係合部分を有しており、ユーザが上記チャック本体を手動で運動させることができ、それによって、上記ロック手段を上記ロック位置と上記開口位置との間で運動させることができる、動力工具用のチャック解除装置。
【請求項２】
上記チャック解除装置と上記チャック本体との上記係合部分が、少なくとも１つのリブまたは溝をそれぞれ含んでおり、上記係合部分が上記チャック本体と係合するときに、上記リブが、これに対応する溝と相互接続することを特徴とする請求項１に記載のチャック解除装置。
【請求項３】
上記チャック解除装置の上記係合部分が、２つ以上の側方に突出する突起を含んでおり、かつ、上記チャック本体が、上記突起を挿入することができる凹みを含むことを特徴とする請求項１または２に記載のチャック解除装置。
【請求項４】
上記チャック解除装置の上記係合部分が、上記チャック本体の中もしくは上に設けられた対応する形状の面または本体と係合可能である、成形された凹み、溝、または穴を含むことを特徴とする請求項１〜３のいずれか一項に記載のチャック解除装置。
【請求項５】
上記チャック解除装置の上記係合部分が、上記チャック本体のナット状の部分と係合するスパナ型ヘッドを含むことを特徴とする請求項４に記載のチャック解除装置。
【請求項６】
上記チャック解除装置の上記係合部分が、上記作動部材の一部を収容もしくは内蔵するための開口部または凹部を含むことを特徴とする請求項１〜５のいずれか一項に記載のチャック解除装置。
【請求項７】
上記開口部または凹部が、略円筒形の作動部材を軸方向に内蔵するように成形された凹みを含むことを特徴とする請求項６に記載のチャック解除装置。
【請求項８】
上記チャック解除装置が回転して上記開口位置とロック位置との間で上記ロック手段を運動させることを特徴とする請求項１〜７のいずれか一項に記載のチャック解除装置。
【請求項９】
上記ロック手段が、上記ロック位置において上記作動部材と係合する１つ以上のジョーを含むことを特徴とする請求項１〜８のいずれか一項に記載のチャック解除装置。
【請求項１０】
上記チャック解除装置が把持部を含むことを特徴とする請求項１〜９のいずれか一項に記載のチャック解除装置。
【請求項１１】
上記把持部が円筒形の手との係合部分を含むことを特徴とする請求項１０に記載のチャック解除装置。
【請求項１２】
上記係合部分が上記手の部分の端に接続された長方形部分を含んでおり、上記長方形部分が、上記把持部の長手方向の長さに沿って軸に対して略垂直配向を有する、２つ以上の側方に突出するリブを含むことを特徴とする請求項１０または１１に記載のチャック解除装置。
【請求項１３】
上記チャック解除装置が接続装置を含んでおり、当該接続装置によって上記チャック解除装置が上記動力工具に解除可能に固定できることを特徴とする請求項１〜１２のいずれか一項に記載のチャック解除装置。
【請求項１４】
上記接続装置が円周方向に調節可能なリングを含むことを特徴とする請求項１３に記載のチャック解除装置。
【請求項１５】
上記接続装置が把持部を含むことを特徴とする請求項１３または１４に記載のチャック解除装置。
【請求項１６】
上記接続装置が、上記動力工具の前部に嵌合可能な補助またはサイドハンドルを含むことを特徴とする請求項１３〜１５のいずれか一項に記載のチャック解除装置。
【請求項１７】
上記動力工具の上記チャック本体が凹部に収容されており、かつ、上記チャック解除装置の上記係合部分を凹部内に挿入できる細長い部分から延伸しており、当該凹部は上記係合部分と上記チャック本体の協働部分との係合を可能にすることを特徴とする請求項１〜１６のいずれか一項に記載のチャック解除装置。
【請求項１８】
上記動力工具が解除可能かつ固定可能な前面を含んでおり、当該前面は、上記チャック本体を露出するために取り外し可能であって、それによって、上記解除装置における上記係合部分が上記チャック本体の上記部分と係合可能となることを特徴とする請求項１〜１７のいずれか一項に記載のチャック解除装置。
【請求項１９】
上記動力工具が上記調節モードと上記作動モードとの間で切り替え可能であることを特徴とする請求項１〜１８のいずれか一項に記載のチャック解除装置。
【請求項２０】
上記添付の図面に従って実質的にここで説明されているような動力工具用のチャック解除装置。
【請求項２１】
チャック本体を有するチャックと、上記チャック内に作動部材をロックするためのロック手段とを含む動力工具であって、
上記動力工具は、調節モードにおいて上記作動部材が上記チャック内で解除されている開口位置と、上記ロック手段が上記チャック内に上記作動部材を固定しているロック位置との間を上記ロック手段が運動するように動作可能であって、
上記動力工具は、作動モードにおいて上記作動部材の回転を駆動させて作業を行うように動作可能であって、
上記チャック本体が、上記チャック解除装置と直接係合する部分を有するのでユーザが上記チャック本体を手動で運動させることができ、それによって、上記ロック手段が上記ロック位置と上記開口位置との間で運動することができる、動力工具。
【請求項２２】
上記動力工具が上記調節モードと上記作動モードとの間で切り替え可能であることを特徴とする請求項２１に記載の動力工具。
【請求項２３】
上記動力工具が、上記調節モードにおいて上記開口位置と上記ロック位置との間で上記ロック手段を運動させるように動作可能であって、かつ、上記作動モードにおいて上記作動部材の回転を駆動させて作業を行うように動作可能であるモータを含むことを特徴とする請求項２１または２２に記載の動力工具。
【請求項２４】
上記チャック本体が、上記チャック解除装置のリブまたは溝と相互接続するための少なくとも１つのリブまたは溝を含むことを特徴とする請求項２１〜２３のいずれか一項に記載の動力工具。
【請求項２５】
上記チャック本体が、上記チャック解除装置における突起を中に挿入することができる凹みを含むことを特徴とする請求項２１〜２４のいずれか一項に記載の動力工具。
【請求項２６】
上記凹みが上記チャック本体の前面にあることを特徴とする請求項２５に記載の動力工具。
【請求項２７】
上記チャック本体が、上記チャック解除装置の中または上に設けられた対応する形状の面または本体と係合可能な、成形された凹み、溝または穴を含むことを特徴とする請求項２１〜２６のいずれか一項に記載の動力工具。
【請求項２８】
上記チャック本体が、上記チャック解除装置におけるスパナ型ヘッドと係合するためのナット状部分を有することを特徴とする請求項２１〜２７のいずれか一項に記載の動力工具。
【請求項２９】
上記動力工具の上記チャック本体が凹部の中に収容されており、上記チャック本体と上記チャック解除装置とが直接係合できるように、当該凹部の中に上記チャック解除装置が挿入されることを特徴とする請求項２１〜２８のいずれか一項に記載の動力工具。
【請求項３０】
上記動力工具がドリルであることを特徴とする請求項２１〜２９のいずれか一項に記載の動力工具。
【請求項３１】
上記添付の図面に従って実質的にここに記載されているような動力工具。
【発明の詳細な説明】
【発明の詳細な説明】
【０００１】
〔本発明の分野〕
本発明は概して、チャックを有するタイプの動力工具とチャック解除装置とに関する。本発明は動力ドリルなどの手持ち式動力工具に応用することができる。便宜上、以後は例示の応用形に関連して本発明を開示する。しかし、当然のことながら、本発明はその応用形に限定されることはなく、作動部材を解除可能に固定するためのチャックを含む、全ての工具に応用することができる。
【０００２】
〔本発明の背景〕
本発明の背景についての下記の説明は、本発明の理解を容易にすることを目的としている。しかし、当然のことながら、本説明によって、言及された材料が本発明に先立って公開されたか、または、公知の技術の一部であったと承認もしくは認定するものではない。
【０００３】
その最も基本的な形態において、動力ドリルは電動モータ、油圧モータ、または、空気モータからなり、上記モータが、ドリルビットを解除可能に取り付けできるチャック装置を回転させる。チャック装置によって、動力ドリルに様々なサイズのドリルビットを交換可能に使用することができる。現在、動力ドリルに使用されているチャックの殆どがキーレスチャック（ｋｅｙｌｅｓｓ  ｃｈｕｃｋ）構造である。該構造において、チャックの本体部分を手で把持して本体部分を回すことによって、チャックのロック機構が作動し、ドリル部品がチャック内に固定される。また、チャックの本体部分を把持することによってチャックのロック機構が作動して、動力工具のモータの稼動中にチャックが固定される。したがって、このタイプの機構の作動は、動力ドリルのモータを含み得る。当該ドリルは、チャック装置内のチャック本体を回転させ、続いて、固定されたロッキングナットまたはスリーブに内蔵された１つ以上のロッキングジョーを運動させ、それをチャック内に挿入されたドリルビットの端と係合させる。チャック本体を手で回転させるか、または、チャック本体を固定しながらドリルモータを作動させることによって、チャックからドリルビットを解除し、ドリルビットからロッキングボルトを解除する。
【０００４】
動力ドリルの他の形態は、ドリルのモータが作動してチャックのロック機構が動作し、ユーザが手でチャック本体を保持もしくは回転させなくともチャック内にドリルビットを固定できるという調節モードを有する。そのようなドリルはまた、作動モードを備える。作動モードにおいて、モータが作動して、チャックとドリルビットとがともに駆動して穴あけ作業を行うことができるようにチャックが回転することが可能である。そのような動力工具は、ドリル本体から延伸してチャックを越えるシールドまたはノーズコーンを有し得る。
【０００５】
上記チャック配置によってドリルビットを迅速かつ容易に取り付けることができるが、電源（電力、圧縮空気または同様のもの）が機能しなくなり、ドリルのモータが使えない場合、そのようなドリルからドリルビットを取り外すのに問題が起こる。調節モードおよび作動モード、またはチャックを越えて延伸するシールドまたはノーズコーンを有する動力ドリルにおいて、これらのドリルはチャックへのアクセス方法が厳しく制限されるので、電源が機能しないときにドリルビットを取り外す問題はより深刻である。
【０００６】
したがって、たとえば動力ドリルなどの動力工具のモータが使えない場合に、ユーザがドリルビットまたは他の同様の作動部材をチャック装置から取り外すのを助ける装置を提供することが求められる。
【０００７】
〔本発明の要約〕
本発明の１つの形態によると、動力工具のためのチャック解除装置が提供される。動力工具は、チャック本体を有するチャックと、チャック内に作動部材をロックするためのロック手段とを含む。動力工具は、調節モードにおいて作動部材がチャック内で解除されている開口位置と、ロック手段がチャック内に作動部材を固定しているロック位置との間をロック手段が運動するように動作可能である。さらに、動力工具は作動モードにおいて作動部材が回転を駆動させて作業を行うように動作可能である。チャック解除装置は、チャック本体部分と直接係合する係合部分を有しており、ユーザが手動でチャック本体を動かすことができ、ロック手段がロック位置と開口位置との間で運動することができる。
【０００８】
本発明は、チャックを有する動力工具から作動部材を取り除くのに有益である。ユーザは、チャック解除装置を装備することによって、手でチャック本体を保持するか、回転させる必要がなく、作動部材を解除することができる。チャック解除装置は、チャック本体と直接係合して運動することによって、作動部材を解除する。したがって、動力ドリルなどの動力工具が電力を失ったとき、例えば電池が切れたときなど、チャック解除装置を用いてチャックのチャック本体を回転させ、動力工具のモータを作動させることなく、ドリルビット、スクリュードライバビット、穴鋸などの作動部材をチャックから取り除くことができる。
【０００９】
上記からわかるように、チャック解除装置の係合部分とチャック本体との間の接続は、様々な異なる構成をとり得る。その最も基本的な形態では、この接続は、対応するように構成されたチャック本体の部分と相互接続された工具端または軸を備える可能性があり、それによって操作者がチャック本体を手動で運動させることができる。
【００１０】
好ましい実施形態において、チャック解除手段とチャック本体との係合部分が、それぞれ少なくとも１つのリブまたは溝を含む。その係合部分がチャック本体と接触するときに、リブが、これに対応の溝と相互接続する。リブまたは溝はチャック解除装置の係合部分かチャック本体かのいずれかに含まれ得る。しかし、チャック解除装置の係合部分が２つ以上の側方に延びた突起を含んでいるのが好ましく、さらに、チャック本体が、突起を挿入し得る対応の凹部を含んでいるのが好ましい。
【００１１】
リブおよび対応もしくは相互接続する凹部はいかなる構造もとり得る。適した構造は円筒形突起、長方形突起、楕円形突起、先細り形リブ、弓状リブ、四角形の瘤状体（ノジュール：ｎｏｄｕｌｅ）、または同様のものを含む。しかし、対応する凹部または空洞部は実質的に同じ横断面および寸法であって、空洞によってできる空間内に実質的に摩擦係合（ｆｒｉｃｔｉｏｎ  ｆｉｔ）可能であることが好ましい。より好ましくは、突起は細長い円筒形の構造を有しており、円筒形凹部または穴内部で実質的に摩擦係合する。
【００１２】
代替的実施例において、チャック解除装置の係合部分は、成形された凹部、溝または穴を備えており、それらは、チャック内またはチャック上に含まれる対応する形状の面または本体と係合する。成形された凹部、溝または穴は、チャック本体の対応する形状の特徴に係合するとともに、チャック解除装置がチャック本体を運動させ、それによってチャック本外が接続されたロック手段を運動させるような全ての適した構造を備えている。適した構造とは両口スパナヘッド、リングスパナヘッド、ボックスレンチヘッド、ソケット型ヘッド、六角レンチエンド（ａｌｌｅｎ  ｋｅｙ  ｅｎｄ）、レンチヘッド、または他の型の固定ジョー、あるいはつめ型の工具類を含む。本発明に係る好ましい実施形態において、チャック解除装置の係合部分は、チャック本体上にある実質的にナット状の部分と係合するスパナ型ヘッドを含む。
【００１３】
上記からわかるように、本発明に係るチャック解除装置は、動力工具内部に様々な型の作動部材をロックもしくは固定することができる。たとえば、動力ドリルの場合、チャックは、ドリルビット、スクリュードライバ工具ビット、ソケットビット、鋸ビット（ｓａｗ  ｂｉｔ）、アレンキーアダプタービット、攪拌ビット、バフ研磨適応工具ビット、または同様のもの、を収容するように構成されている。
【００１４】
理想的には、チャック解除装置はチャックの中に挿入される全ての作動部材の中およびその周りに適合するように構成される。この点において、本発明に係るチャック解除装置が、作動部材の部分を収容するか、内蔵するか、取り付けるか、または格納するための開口部または凹部を含む係合部分を有することが好ましい。本発明に係る好ましい実施形態において、開口部または凹部は凹みを有しており、当該凹部は略円筒形の作動部材を軸方向に格納するように成形されている。例えば動力ドリルの場合、開口部または凹部はドリルビットの軸を格納する構造を有する。本例では、丸穴か凹部かのいずれかが適する。
【００１５】
前述のように、チャックのチャック本体は、１つ以上のロック手段がチャック内に挿入されたドリルビットなどの作動部材の端に係合するか、または、端から外れるように構成されている。本発明の好ましい実施形態において、チャック解除装置がチャック本体を回転させ、ロック手段を開口位置とロック位置との間で運動させる。しかし、作動部材からロック手段を解除し得るために、押す、引く、穴に入れる、滑らせるなどの他の想定され得る様々な運動があることを理解されたい。ロック手段が、ロック位置において作動部材と係合するように運動する１つ以上のジョーを含むことが好ましい。好ましくは、ロッキングジョーがロッキングスリーブまたはナットを含むチャック本体部分内に収容される。より好ましくは、ロッキングジョーがロッキングスリーブまたはナット内でねじ係合する。
【００１６】
好ましくは、チャック解除装置が把持部を有しており、ユーザの手で工具の操作がしやすいようになっている。ある実施形態において、把持部は手との係合する円筒形の部分を含む。手に沿う部分は、指用の凹部またはグリップ部、親指係合部分または親指の置き場、丸溝ひだ（ｆｌｕｔｅ）、ストライプ（ｓｔｒｉｐｅ）、またはその他好ましい機能の全て、および／または装飾手段を任意に含む。しかし、そのような実施形態において、チャック解除装置が、手持ち部分の端に接続された長方形部分を含むことが好ましい。長方形部分は２つ以上の側方に突出しているリブを有し、リブは把持部の長手方向の長さに沿って軸に対して略垂直配向である。
【００１７】
本発明のある実施形態において、本発明に係るチャック解除装置は接続装置を有しており、当該接続装置によって、チャック解除装置を動力工具に解除可能に固定することができる。そのような接続装置によって、確実に容易に、チャック解除装置を動力工具に内蔵することができるため、操作者が工具を使う必要があるときに簡単に見つけることができる。接続装置が把持部を含むことが好ましい。
【００１８】
接続装置は多様な形態をとり得る。ある実施形態において、接続装置は動力工具設計の本体内部または把持部内部にある凹部を含んでおり、チャック解除装置が収容できるようになっている。他の実施形態において、接続装置はストラップを含んでおり、当該ストラップは動力工具に貼付されたホックまたは他の締結装置に接続可能である。本発明の好ましい実施形態において、接続装置は円周方向に調節可能なリングを含む。
【００１９】
動力工具の構成部品または機能部分に、動力工具の全ての構成材を接続するか、一体化させるか、または、内蔵させることが好ましい。例えば本発明に係るある実施形態において、チャック解除装置は、電気コード、プラグ、動力工具ケース、取り外し可能なバッテリ部分、または、動力工具における他の接続可能または取り外し可能な部分の内部に統合されるか、またはそれらと接して統合される。本発明の好ましい実施形態において、動力工具に解除可能に接続された補助またはサイドハンドル内部に、チャック解除装置を統合する。動力ドリルの場合、補助またはサイドハンドルはドリルのチャック部分に隣接して接続され得る。本発明に係る代替的実施形態において、動力工具は解除可能に固定された前面／覆い（ｆｒｏｎｔ  ｆａｃｉａ／ｃｏｖｅｒ）を含み得る。当該前面／覆いが取り除かれてチャック本体が露出し、それによってチャック解除装置の係合部分がチャック本体の協働部分と係合することができる。
【００２０】
動力工具の多くの型で、凹部または覆い部内にチャックが内蔵される。したがって、本発明に係るある実施形態では、動力工具のチャック本体が凹部に内蔵されている。本実施形態において、チャック解除装置の係合部分は凹部に挿入可能な細長い部分から延伸しており、それによって係合部分がチャック本体の協働部分と係合することができる。
【００２１】
本発明のある形態において、動力工具が特定のモードに切り替えられたときにのみ、チャックの手動運動ができるようにすることが望ましい。これは、モータまたは動力工具が連動しないか、または、電源が入らないことを確実にする安全モードとして使用することができる。さらに、このモードは、モータ以外の力でチャックが運動するときに損傷を受ける可能性がある動力工具の歯車装置などの特定の部分を隔離し得る。したがって、動力工具が上記安全モードになったときのみ、チャック解除装置を用いてチャック本体を手動で運動させることができる。
【００２２】
本発明の他の形態によると、動力工具は、チャック本体を有するチャックと、作動部材をチャック内にロックするためのロック手段とを備える。動力工具は調節モードで作動可能であり、チャック内で作動部材が解除されている開口位置と、ロック手段がチャック内で作動部材を固定している閉鎖位置との間を、ロック手段が運動する。さらに、動力工具は作動モードにおいて作動可能であり、作動部材の回転を駆動して作業を行う。チャック本体はチャック解除装置と直接係合する部分を含んでおり、ユーザが手動でチャック本体を運動させることができ、それによってロック手段を閉鎖位置と開口位置との間で運動させることができる。
【００２３】
ある形態において、調節モードと作動モードとの間で、動力工具の切り替えが可能である。動力工具はまた、調節モードで開口位置と閉鎖位置との間をロック手段が運動するように作動可能であって、かつ、作動モードで作動部材の回転を駆動させて作業を行うように作動可能である、モータを含んでいてもよい。
【００２４】
上記からわかるように、チャック本体は様々な異なる形態をとり得る。ある形態において、チャック本体は、チャック解除装置のリブまたは溝と相互接続するための少なくとも一つのリブまたは溝を含む。他の形態では、チャック本体は凹部を有しており、その中にチャック解除装置の突起を挿入することができる。凹部はチャック本体の前面にあってもよい。さらなる他の形態において、チャック本体は、成形された凹部、溝、または穴を含む。当該凹部、溝、または穴は、チャック解除装置の中、または装置上にある対応の形状の面または本体と係合可能である。チャック本体はチャック解除装置のスパナ型のヘッドと係合するナット状の部分を含んでいてもよい。
【００２５】
ある形態において、動力工具のチャック本体は凹部内に収容されており、その中に、チャック本体とチャック解除装置とが直接係合可能となるチャック解除装置が挿入できる。
【００２６】
〔図面の簡単な説明〕
本発明は、本発明の特定の好ましい実施形態を示す添付の図面の各図を参照することによって説明される。
図１は、本発明のチャック解除装置に関する特定の実施形態を内蔵する手持ち式工具の斜視図である。
図２は、解除可能に取り付けできるドリル用サイドハンドルの斜視図であり、サイドハンドルは、本発明のチャック解除装置に関する他の実施形態を内蔵する。
図３は、閉口位置にあるチャックの半分の形を示す横断面図である。図１または２に示すチャック解除装置とともにチャックを使用することができる。
図４は、図３に示すチャックが開口位置にあるときの一つの形態を示す横断面図である。
図５は、図１に示すドリルおよびチャック解除装置の正面図であって、電池式手持ちドリルのチャックを作動させるのに用いる位置にあることを示す。
図６は、図５の線Ａ−Ａに沿って見たドリルとチャック解除装置の横断面図である。
図７は、図５に示されたチャック解除装置とドリルの側面図であって、チャックの中に係合ピン（ｅｎｇａｇｅｍｅｎｔ  ｐｉｎ）が挿入されていることを示す。
図８は、図７に示されたチャック解除装置とドリルの側面図であって、チャック解除装置が回転し、ドリル部品がチャックから取り外しされることを示す。
図９は、チャックを内蔵する電池式手持ちドリルの側面図である。該チャックは、取り外し可能な前面／覆い（ｆｒｏｎｔ  ｆａｃｉａ／ｃｏｖｅｒ）を有しており、該前面／覆いは本発明に係るチャック解除装置の他の実施形態に組み込まれている。
図１０は、図９に示したドリルの側面図であり、前面が取り外されてチャックナットが露出しており、その上にチャック解除装置が係合していることを示す。
図１１は、図１０に示したドリルの側面図であり、前面が取り外されてチャックナットと係合したチャック解除装置が露出していることを示す。
図１２は、図１０に示したドリルの正面図である。
図１３は、図１１に示したドリルとチャック解除装置の正面図である。
【００２７】
〔詳細な説明〕
図１を参照すると、本発明の一つの実施形態を内蔵する手持ち式チャック解除装置３０が示されている。チャック解除装置３０は円筒形把持部３１と作動ヘッド３２という２つの主要部を有する。円筒形把持部３１はユーザが手で把持するように設計されており、作動ヘッド３２は側方に延伸する２つの円筒形突起（ｃｙｌｉｎｄｒｉｃａｌ  ｐｒｏｎｇ）３４と３６とを有する。図５〜８に示すように、円筒形突起３４および３６は、充電式手持ち動力ドリル４１におけるチャック４０のチャック本体３８の外面１１８上にある、対応する形状の空洞部または凹部３７、３９の中に挿入されるように構成されている。
【００２８】
図１に示した把持部３１は、人の平均的な手の幅と実質的に同じ寸法の長手方向の長さを有する略円筒形チューブ４２からなる。チューブ４２は、ハンドグリップパターンによって覆われているか、または、成形されている。当該パターンは、円周上で３つに隔てられ、長手方向に延伸している略長方形の凹部４４を備える。凹部４４は、把持部３１の遠心端４６から、把持部３１の長手方向の長さの約４／５に沿って延伸する。把持部３１の長手方向の側面もまた曲がっており、その側面が把持部３１の長さを超えて凸曲面を形成する。把持部３１はこのように曲がった形状をしているため、把持部３１の長手方向の長さの中間において、側断面の直径が最大となる。
【００２９】
把持部３１の開放端または遠心端４６は円盤状先端キャップ４８によって閉鎖（ｃａｐｐｅｄ）されており、先端キャップ４８は管状把持部３１内部の管状空洞部４９内に締結されているか、または、固定されている。把持部３１の隣接端５０は、側方に延伸している円形の円周フランジ５２を含む。円周フランジ５２は、手持ち式工具３０の作動ヘッド３２から把持部３１を有効に分離する。フランジ５２は円盤状であり、その外径は、把持部３１におけるチューブ４２の平均外径よりも約３分の１大きい。フランジ５２はストッパまたはバリアとして機能し、工具３０の把持部３１の上および周りにユーザの手を制限し、位置取りする。
【００３０】
図１に示された作動ヘッド３２は、円筒形基部６０を含む傾斜した部材からなる。円筒形基部６０は把持部３１の隣接端においてフランジ５２に接続されており、側方に延伸する挿入部７２に接続されている。挿入部７２はその自由端６４において、側方に延伸する円筒形突起３４および３６を有する。円筒形突起３４および３６は、動力ドリル４１のチャック４０におけるチャック本体３８の外面１１８に設置された対応する形状の空洞部または凹部３７、３９の中に挿入されるように構成されている。
【００３１】
挿入部７２は略アーチ形状または半管状の部材からなる。当該部材は、円筒形基部６０に側方に取り付けられており、半管の先端が作動ヘッド３２の基部６０に接続されている。接続部は傾斜した挿入部６６を形成する。挿入部６６において、作動ヘッド３２の後面が、長手方向に延伸する方向から４５°の角度の部分６６に沿って、側方に延伸する挿入部７２まで運動する。
【００３２】
挿入部７２がアーチ状になっているので、工具３０の上面においてアーチ状の凹部６８が備えられている。図５〜８からわかるように、ドリルビット７０を示す実施形態において、この凹部はドリル４１のチャックに挿入された工具を収容するように構成されている。
【００３３】
図５〜８を参照すると、図示されたドリル４１におけるチャック４０は凹部内に収容されており、ドリル４１の前面４５において管状空洞部４３を介してアクセス可能である。アーチ状または切断された管状の挿入部７２はまた、ドリル４１の前面４５において管状空洞部４３に嵌合するように設計されている。したがって、挿入部７２の厚さは薄く、部品が管状空洞部４３内部に嵌合できるようになっている。
【００３４】
側方に延伸する２つの円筒先端３４および３６は、挿入部７２の自由端６４から側方に延伸する。円筒形突起３４および３６はアーチの周囲上で互いに離れて設置されており、各々が挿入部７２のアーチ形状の脚部の近くに設置されている。後述するように、挿入部７２を用いて、ドリル４１のチャック４０内に位置する対応する空洞部または凹部３７および３９の中に突起３４および３６が位置するようにする。
【００３５】
図２は、例えば、図５〜８に示された充電式動力ドリル４１などのドリル用のサイドハンドル付属品８０に内蔵された、本発明に係るチャック解除装置３０Ａの代替的実施例を示す。これらの型の把持部８０は解除可能な接続式把持部として一般的に使用されている。ドリル４１の作動中にドリル４１を安定させるためか、または、作業面により強い力を加えるために、把持部８０をドリル４１に固定する。
【００３６】
サイドハンドル８０は、図１に示した実施形態の把持部３１について説明されたものと実質的に同じ構造を有するハンドグリップ部８１からなる。この点に関して、ハンドグリップ部８１は成形されたハンドグリップパターンを含んでおり、そのパターンは、均等に間隔を置いて配置された３つの略長方形の凹部４４と、円盤状の先端キャップ４８と、隣接端５０における円盤状フランジ５２とを備える。しかし、接続把持部８０の作動ヘッド８２はリング状グリップ接続部８４を含んでおり、例えば図５〜８に示したドリル４１のように、ドリルの前端において接続部８４が円筒部の周囲に嵌合し、そこに固定されるように構成されている。リンググリップ接続部８４は円周方向に調節可能なリング８５を含む。リング８５の直径は、調節ナット８２の動作によって大きくなり得るか、または、小さくなり得る。当業者であればわかるように、調節ナット８６の回転によって、接続されたスプロケットまたは歯（不図示）が作動する。スプロケットまたは歯は、リング８５における上体８７内部に収容されており、リング８５が接続部８４の破断部９０に位置する延伸ロッド８８を作動させる。調節ナット８６の回転の方向によって、延伸ロッド８８は延伸するか、または、収縮する。
【００３７】
本発明におけるチャック解除装置３０Ａは挿入部３２を備える。挿入部３２は、チャック解除装置３０Ａの右角内の接続装置における内側９２に接続されている。しかし、当然のことながら、サイドハンドル８０のいかなる適した位置にも、挿入部３２を設置することができる。例えば、把持部８２の遠心端上や接続部の上面９６または同様の箇所である。挿入部は図１に示された本発明の実施形態について説明された挿入部とよく似た構造を有しており、アーチ形状または半管状で、側方に延伸する２つの円筒形突起３４および３６を有しており、円筒形突起３４および３５がその開放端６４から延伸している。
【００３８】
サイドハンドル８０はおそらく重要なドリル用の付属品であって、一般的にはドリル４１の作動中は常にドリルに接続されている。したがって、サイドハンドルの中に挿入部３２が含まれるということは、ユーザが容易に取り落としたり置き間違えたりしないということに関して有益であり、便利な組合せである。さらに、図１に示した個々の工具３０は例えば付属品ケースや工具箱の中など、ドリルから分離して保管される可能性もある。図２に示された実施形態の場合では、殆どの例でサイドハンドル８０がドリル４１に接続される可能性があるため、必要な場合必要なときにチャック解除装置３０Ａを容易に使用することができる。
【００３９】
チャック解除装置３０または３０Ａが係合可能なチャック４０およびそれに関連するドリル４１の構造を図３、４および６に示す。本配置において、チャック４０は駆動軸１３２と、変速装置１１１を介してモータ１０８とに接続されたヘッド部１３０を備える。ヘッド部１３０は３つのジョー１１０を有するが、そのうちの１つのみを図３および４に示す。各ジョー１１０はドリルビット７０（図５および６）の軸部に固定するのに適したグリップ面１３６を有しており、調節手段によって、ジョー１１０を係合するドリルビット７０の直径に沿って、必要に応じて運動させることができる。
【００４０】
示された具体的な配置において、ヘッド部１３０上に各ジョー１３６が摺動自在に設置されており、軸Ｘ−Ｘに対して傾斜して配置された経路に沿ったヘッド部１３０に対して変位可能である。調節手段は、ヘッド部１３０に回転可能に取り付けられるとともに、ねじ山１４４またはスクリュー接続（ｗｏｒｍ  ｃｏｎｎｅｃｔｉｏｎ）を介して各ジョー１１０に嵌合する調節ナット１４２を備える。ヘッド部１３０に対するナット１４２の回転によって、図３および４に示すように、各ジョー１１０のグリップ面１３６が軸Ｘ−Ｘに向かって移動するか、または、軸Ｘ−Ｘから遠ざかるように運動するよう配置されている。
【００４１】
図３は、閉口位置にあるチャック４０を示す。図５および６に示すように、閉口位置においてジョー１１０がドリルビット７０の軸部と係合する。図４は開口位置にあるチャック４０を示す。図８に示すように、開口位置においてジョー１１０がドリルビット７０の軸部から外れる。軸部１３２を介してヘッド部１３０に伝達されるドリル４１のモータ１０８からの回転によって、これらの位置の間の運動が制御され得る。ヘッド部１３０は、それによってナット１４２に対して回転する。または、モータが使えない場合、本発明に係る工具３０または３０Ａの突起３４または３６をチャック本体３８のヘッド部１３０の前面にある空洞部または凹部３７に係合させて、ナット１４２に対してヘッド部１３０を回転させることによって、制御し得る。
【００４２】
ドリル４１は、手動でヘッド部１３０を保持したり回転させたりする必要なくドリル４１のモータ１０８の作動によって開口位置と閉口位置との間を移動させることができる型のものである。チャック本体３８がナット１４２に固定され得るとともに、ドリル本体４７に対する位置に解除可能にロックされ得るスリーブ１４３を有するので、ドリル４１は上記を実現することができる。スリーブ１４３がドリル本体４７に対してロックされるとき、ドリル４１が調節モードになる。一方で、スリーブがドリル本体４７に対するロック位置から解除されるとき、ドリル４１は作動モードになる。ドリル４１の調節モードにおいて、スリーブ１４３が続いてナット１４２をロックし、モータ１０８がヘッド部１３０に対してチャックジョー１３６の位置を調節するよう作動し、各ジョー１１０のグリップ面１３６が軸Ｘ−Ｘに向かうか遠ざかるかという位置を調節するよう作動し、ドリルビット７０の軸部を把持もしくは解除するようにする。ドリル４１の作動モードにおいて、解除された軸部１４３が続いてナット１４２を解除し、モータ１０８が作動してチャック４０の回転を駆動し、ドリルビット７０およびチャック４０が駆動して（縦軸Ｘ−Ｘの周りを回転して）穴あけ／機械作業を行うようにする。
【００４３】
したがって、ドリル４１およびチャック４０の配置は、ドリル本体４７に対して軸部１４３をそれぞれロックする、および、解除することによって、ドリル４１が調節モードと作動モードとの間で切り替え可能になるようにする。
【００４４】
図５および８では、図１に示したチャック解除装置３０が、ドリルの前部１００にあるチャック４０におけるジョー１１０内部に固定されたドリルビット７０を解除するのに使用されていることを示す。
【００４５】
図６および７において容易にわかるように、ドリル４１は一般的な充電式手持ち型であって、取り外し可能な充電式バッテリ１０２、アームストラップ１０３、ピストルグリップ部１０４、および、指で作動する型のトリガースイッチ１０６を有する。トリガースイッチ１０６によってモータ１０８の回転が作動する。モータ１０８は変速機１１１を介してチャック４０に接続されている。チャック４０はドリル本体４７の中心を通る軸Ｘ−Ｘの周りを回転することができる円筒形チャック本体３８を備える。図３および４に示すように、チャック本体３８はヘッド部１３０を含んでおり、ヘッド部の中に空洞部３７および３９がある。ナット１４２に対するヘッド部１３０の回転は、チャック４０の空洞部１１２内部でロッキングジョー１１０を延伸もしくは収縮させる。
【００４６】
上述のように、通常の作動において、ドリル４１が調節モードか作動モードかのいずれかのときに、モータ１０８によってチャック本体３８およびヘッド部１３０が回転する。したがって、図７に示したようなドリルビット７０がチャック空洞部１１２の中に挿入されたとき、ドリル４１が調節モードの場合、トリガースイッチ１０６によってモータ１０８が作動し得る。さらに、チャック本体３８を回転させ、図３に示したようにチャック空洞部１１２の中に挿入されたドリルビット７０の部分と係合するためにロッキングジョー１１０が延伸するのに使用される。ヘッド部１３０の回転を介して、ロッキングジョー１１０がねじ山１４４に沿って運動する。ヘッド部１３０は、ドリルビット７０がチャック４０のジョー１１０内部にしっかりと固定されるまで、モータ１０８を用いた軸１２３の回転を介して回転する。同様に、トリガースイッチ１０６を用いてモータ１０８を作動することができ、チャック本体３８のヘッド部１３０を反対方向に回転させ、ロッキングジョー１１０がチャック空洞部１１２の中に挿入されたドリルビット７０の部分と係合しないようにする。ドリルビット７０がチャック４０内部から解除されるまで、モータ１０８を用いてロッキングジョー１１０を作動させる。
【００４７】
図示されたドリル４１において、チャック本体３８のヘッド部１３０もまた、手動で作動可能である。第一に、ドリル４１を調節モードにして、ドリル本体４７に対してスリーブ１４３がロックされるようにする。任意に、モータ１０８および変速機１１１を電源から外して手動チャック作動に関するドリル４１の安全性を確保する。続いて、チャック本体３２のヘッド部１３０を手動で運動させるのにチャック解除装置３０または８０を用いる。例えばバッテリ１０２切れたためにドリル４１が動力を失ったとき、ドリル４１からドリルビット７０を取り除くのに上記は特に有効である。
【００４８】
図示されたドリル４１のチャック４０は密封された本体または面（ｆａｃｉａ）１１６内部に収容されており、密封された本体または面は図５に最もよく示されているように、面１１６の前面４５における管状空洞部４３を介してアクセス可能である。ドリル４１はユーザが手動でチャック本体３２を保持したり回転させたりする必要がないタイプのものであって、手でドリルビット７０を外すタイプのものではなく、上記の調節モードおよび作動モードを有するものであるから、上記が可能となる。ヘッド部１３０の外面１１８は、空洞部４３内の少し離れたところにあるけれども、空洞部４３を介して容易にアクセス可能である。図５に最もよく示されているように、チャック本体３８のヘッド部１３０における外面１１８に２つの円形空洞部または凹部３７および３９が設置されている。空洞部または凹部３７および３９は、図１または２に示されたチャック解除装置３０または８０における円筒形突起３４および３６を収容するように構成されている。
【００４９】
ドリル４１が調節モードのとき、チャック本体３８のヘッド部１３０がチャック解除装置３０または８０を用いて回転する。ドリルビット７０を挿入もしくは取り除く必要があり、図６に示すようにドリル４１のモータ１０８への電力供給が何らかの理由で中断する、例えば電池が切れたとき、そのような装置の作動をここに説明する。
【００５０】
まずドリル４１が調節モードになり、上述のとおり、それによって特に、ヘッド部１３０に対してチャックジョー１３６の位置が手動で調節される。
【００５１】
図５および６に示すように、まずチャック解除装置３０が突起３４および３６によって正しい位置に置かれ、ドリルの前面４５に向かって挿入部３２が置かれる。挿入部３２の自由端６４はドリル４１のチャック空洞部４３に面している。
【００５２】
そして、チャック解除装置３０がドリルビット７０における露出した軸部と接触し、ドリル４１のチャック空洞部４３の前に直接配置される。さらに、チャック解除装置３０の挿入部３２がドリル４１のチャック空洞部４３に挿入され、それとともに突起３４および３６がチャック本体３８のヘッド部１３０における対応の空洞部３７および３９に挿入される（図７）。
【００５３】
さらに、チャック回転装置３０がこの場合は右回りに回転し、ナット１４２とスリーブ１４３とに対してヘッド部１３０を運動させる。続いて、図４に示したように、ロッキングジョー１１０がヘッド部１３０の内部でねじ山１４４に沿って開口位置まで運動する。それによってロッキングジョー１１０がチャック空洞部１１２に挿入されたドリルビット７０の部分から外れ、ユーザがチャック４０からドリルビット７０を引き出すことができる（図８）。
【００５４】
図９〜１３は、ドリル１２０およびチャック解除装置１２２の代替的実施形態を示す。先と同様に、ドリル１２０は、取り外し可能な充電式バッテリ１０２、ピストルグリップ部１０４、指で操作する型のトリガースイッチ１０６を有する一般的な充電式手持ち型である。トリガースイッチ１０６はモータ（不図示）の回転を操作する。チャック１２６は、回転可能なチャック本体１２４を含む、上記実施形態において説明された同様の方法で動作する。
【００５５】
作動ヘッド１２８およびチャック本体１２４上の対応する協働機能は上記の実施形態とは異なる構造を有する。本実施形態において、チャック解除装置１２２の作動ヘッド１２８はスパナヘッドからなり、間に略正方形の間隔を規定する互いに離れた２つの歯を有する。スパナヘッド１２２はチャック本体１２４の前面上にある対応の形状をしたチャックナット１３２に係合する。したがって、スパナヘッド１２２はチャックナット１３２の周りに係合し、回転し、上記と同様の方法でチャックを作動させる。
【００５６】
作動ヘッド１２８の大きさについて、図１に示したチャック解除装置の実施形態と同様に、前面１３４の開口部にそれら作動ヘッド１２８を挿入することができないようになっている。チャック本体１２４へのアクセスを可能にするために、前面１３４は、ドリル１２０の前部１３６に接続された取り外し可能かつ固定可能なカバーを有する。図９および１０に示すように、前面１３４は中空の截頭円錐形部分（ｈｏｌｌｏｗ  ｆｒｕｓｔｏｃｏｎｉｃａｌ  ｓｅｃｔｉｏｎ）を備えており、当該部分はドリル１２０の本体における前部１３６に接続可能である。締結装置、摩擦係合リムおよびビード接続(ｂｅａｄ  ｃｏｎｎｅｃｔｉｏｎ)、リブおよび溝コネクタ、または同様のものを用いて前部１３６をカバー１３４に接続することができる。チャック解除装置１２２を使用する必要があるとき、前面カバー１３４を取り除き、その下のチャック本体１２４を出す。
【００５７】
当業者であれば、ここに記載された発明について具体的に説明されたもの以外の変形や修正が可能であることがわかるだろう。本発明はその本質と範囲内にある全ての変形や修正を含むことを理解されたい。
【００５８】
例えば、本発明の代替的実施例は、図９〜１３に示された同様のドリル構成を含む。しかし、この実施形態において、チャック解除装置の作動ヘッドは、チャック本体１２４のナット１３２に解除可能に係合するように構成されたソケットアダプタを有する。図１に示したチャック解除装置の実施形態と同様に、そのようなソケットアダプタを前面１３４の開口部に挿入することができる。
【００５９】
本明細書の説明および特許請求の範囲全体を通して、用語「備える」（ｃｏｍｐｒｉｓｅ）およびその活用形「備えている（ｃｏｍｐｒｉｓｉｎｇ）、（ｃｏｍｐｒｉｓｅｓ）」は、付加的なもの、構成部品、完成品（ｉｎｔｅｇｅｒ）、またはステップなどの他のものを排除することを意図しない。
【００６０】
本発明を基礎として、または本発明に基づく優先権を主張して、オーストラリアまたは外国においてさらなる出願がなされる可能性がある。下記の添付の特許請求の範囲は例によってのみ提示され、そのようなさらなる出願において請求する範囲を限定する意図のものではないことを理解されたい。本発明をさらに定義するか、または定義しなおすために、後に、現行の請求項に特徴を付け加えてもよいし、または、特徴を削除してもよい。
【図面の簡単な説明】
【００６１】
【図１】本発明のチャック解除装置に関する特定の実施形態を内蔵する手持ち式工具の斜視図である。
【図２】解除可能に取り付けできるドリル用サイドハンドルの斜視図であり、サイドハンドルは、本発明のチャック解除装置に関する他の実施形態を内蔵する。
【図３】閉口位置にあるチャックの半分の形を示す横断面図である。図１または２に示すチャック解除装置とともにチャックを使用することができる。
【図４】図３に示すチャックが開口位置にあるときの一つの形態を示す横断面図である。
【図５】図１に示すドリルおよびチャック解除装置の正面図であって、電池式手持ちドリルのチャックを作動させるのに用いる位置にあることを示す。
【図６】図５の線Ａ−Ａに沿って見たドリルとチャック解除装置の横断面図である。
【図７】図５に示されたチャック解除装置とドリルの側面図であって、チャックの中に係合ピン（ｅｎｇａｇｅｍｅｎｔ  ｐｉｎ）が挿入されていることを示す。
【図８】図７に示されたチャック解除装置とドリルの側面図であって、チャック解除装置が回転し、ドリル部品がチャックから取り外しされることを示す。
【図９】チャックを内蔵する電池式手持ちドリルの側面図である。該チャックは、取り外し可能な前面／覆い（ｆｒｏｎｔ  ｆａｃｉａ／ｃｏｖｅｒ）を有しており、該前面／覆いは本発明に係るチャック解除装置の他の実施形態に組み込まれている。
【図１０】図９に示したドリルの側面図であり、前面が取り外されてチャックナットが露出しており、その上にチャック解除装置が係合していることを示す。
【図１１】図１０に示したドリルの側面図であり、前面が取り外されてチャックナットと係合したチャック解除装置が露出していることを示す。
【図１２】図１０に示したドリルの正面図である。
【図１３】図１１に示したドリルとチャック解除装置の正面図である。
【図１】
2009541068.tif 000003
【図２】
2009541068.tif 000004
【図３】
2009541068.tif 000005
【図４】
2009541068.tif 000006
【図５】
2009541068.tif 000007
【図６】
2009541068.tif 000008
【図７】
2009541068.tif 000009
【図８】
2009541068.tif 000010
【図９】
2009541068.tif 000011
【図１０】
2009541068.tif 000012
【図１１】
2009541068.tif 000013
【図１２】
2009541068.tif 000014
【図１３】
2009541068.tif 000015
【手続補正書】
【提出日】平成19年10月15日(2007.10.15)
【手続補正１】
【補正対象書類名】明細書
【補正対象項目名】０００７
【補正方法】変更
【補正の内容】
【０００７】
〔本発明の要約〕
本発明の１つの形態によると、動力工具のためのチャック解除装置が提供される。動力工具は、動力工具のモータの作動によって運動するチャック本体を有するチャックと、チャック内に作動部材をロックするための、チャック本体と直接接続されたロック手段とを含む。動力工具は、調節モードを有しており、当該調節モードにおいて、モータの作動によってチャック本体が運動し、作動部材がチャック内で解除されている開口位置と、ロック手段がチャック内に作動部材を固定しているロック位置との間をロック手段が運動する。さらに、動力工具は作動モードを有しており、当該作動モードにおいてモータの作動によってチャック本体が運動し、作動部材が運動を駆動させて作業を行う。チャック解除装置は、チャック本体部分と直接係合する係合部分を有しており、ユーザが手動でチャック本体を動かすことができ、ロック手段がロック位置と開口位置との間で運動することができる。
【手続補正２】
【補正対象書類名】明細書
【補正対象項目名】００２０
【補正方法】変更
【補正の内容】
【００２０】
動力工具の多くの型で、凹部または覆い部内にチャックが内蔵される。したがって、本発明に係るある実施形態では、動力工具のチャック本体が、動力工具における凹部に内蔵されている。本実施形態において、チャック解除装置の係合部分は凹部に挿入可能なチャック解除装置における細長い部分から延伸しており、それによって係合部分がチャック本体と係合することができる。
【手続補正３】
【補正対象書類名】明細書
【補正対象項目名】００２２
【補正方法】変更
【補正の内容】
【００２２】
本発明の他の形態によると、動力工具は、動力工具のモータの作動によって運動するチャック本体を有するチャックと、作動部材をチャック内にロックするための、チャック本体と直接接続されたロック手段とを備える。動力工具は調節モードを有しており、当該調節モードにおいて、モータの作動によってチャック本体が運動し、チャック内で作動部材が解除されている開口位置と、ロック手段がチャック内で作動部材を固定している閉鎖位置との間を、ロック手段が運動する。さらに、動力工具は作動モードを有しており、当該作動モードにおいて、モータの作動によってチャック本体が運動し、作動部材の回転を駆動して作業を行う。チャック本体はチャック解除装置と直接係合する係合部分を含んでおり、ユーザが手動でチャック本体を運動させることができ、それによってロック手段を閉鎖位置と開口位置との間で運動させることができる。
【手続補正４】
【補正対象書類名】明細書
【補正対象項目名】００２３
【補正方法】変更
【補正の内容】
【００２３】
ある形態において、調節モードと作動モードとの間で、動力工具の切り替えが可能である。
【手続補正５】
【補正対象書類名】明細書
【補正対象項目名】００２４
【補正方法】変更
【補正の内容】
【００２４】
上記からわかるように、チャック本体は様々な異なる形態をとり得る。ある形態において、係合部分は、チャック解除装置のリブまたは溝と直接係合するための少なくとも一つのリブまたは溝を含む。他の形態では、係合部分はチャック本体において凹部を有しており、その中にチャック解除装置の突起を挿入することができる。凹部はチャック本体の前面にあってもよい。さらなる他の形態において、係合部分は、成形された凹部、溝、または穴を含む。当該凹部、溝、または穴は、チャック解除装置の中、または装置上にある対応の形状の面または本体と直接係合可能である。チャック本体はチャック解除装置のスパナ型のヘッドと直接係合するナット状の部分を含んでいてもよい。
【手続補正６】
【補正対象書類名】明細書
【補正対象項目名】００２５
【補正方法】変更
【補正の内容】
【００２５】
ある形態において、チャック本体は動力工具における凹部内に収容されており、その中に、チャック本体とチャック解除装置とが直接係合するための、チャック解除装置が挿入できる。
【手続補正７】
【補正対象書類名】明細書
【補正対象項目名】００４０
【補正方法】変更
【補正の内容】
【００４０】
示された具体的な配置において、ヘッド部１３０上に各ジョー１３６が摺動自在に設置されており、軸Ｘ−Ｘに対して傾斜して配置された経路に沿ったヘッド部１３０に対して変位可能である。調節手段は、ヘッド部１３０に取り付けられるとともに、ねじ山１４４またはスクリュー接続（ｗｏｒｍ  ｃｏｎｎｅｃｔｉｏｎ）を介して各ジョー１１０に嵌合する調節ナット１４２を備える。調節ナット１４２およびヘッド部１３０は、互いを基準として回転可能である。ナット１４２とヘッド部１３０との相対回転によって、図３および４に示すように、各ジョー１１０のグリップ面１３６が軸Ｘ−Ｘに向かって移動するか、または、軸Ｘ−Ｘから遠ざかるように運動するよう配置されている。
【手続補正８】
【補正対象書類名】特許請求の範囲
【補正対象項目名】全文
【補正方法】変更
【補正の内容】
【特許請求の範囲】
【請求項１】
動力工具用のチャック解除装置であって、
上記動力工具が、上記動力工具のモータの作動によって運動するチャック本体を有するチャックと、上記チャック内に作動部材をロックするための、上記チャック本体と直接接続されたロック手段とを含んでおり、
上記動力工具は、調節モードを有しており、当該調節モードにおいて、上記モータの作動によって上記チャック本体が運動して、上記作動部材が上記チャック内で解除されている開口位置と、上記ロック手段が上記チャック内に上記作動部材を固定しているロック位置との間で上記ロック手段を運動させ、
上記動力工具は、作動モードを有しており、当該作動モードにおいて、モータの作動によってチャック本体が運動して上記作動部材の運動を駆動させて作業を行い、
上記チャック解除装置が、上記チャック本体と直接係合する係合部分を有しており、ユーザが上記チャック本体を手動で運動させることができ、それによって、上記ロック手段が上記ロック位置と上記開口位置との間で運動することができる、動力工具用のチャック解除装置。
【請求項２】
上記チャック解除装置と上記チャック本体との上記係合部分が、少なくとも１つのリブまたは溝をそれぞれ含んでおり、上記係合部分が上記チャック本体と係合するときに、上記リブが対応する溝と相互接続することを特徴とする請求項１に記載のチャック解除装置。
【請求項３】
上記チャック解除装置の上記係合部分が、２つ以上の横方向に突出する突起を含んでおり、かつ、上記チャック本体が、上記突起を挿入することができる対応の凹みを含むことを特徴とする請求項１または２に記載のチャック解除装置。
【請求項４】
上記チャック解除装置の上記係合部分が、上記チャック本体の中もしくは上記チャック本体上に含まれる対応の形状の面または本体と係合可能である、成形された凹み、溝、または穴を含むことを特徴とする請求項１〜３のいずれか一項に記載のチャック解除装置。
【請求項５】
上記チャック解除装置の上記係合部分が、上記チャック本体のナット状の部分と係合するスパナ型ヘッドを含むことを特徴とする請求項４に記載のチャック解除装置。
【請求項６】
上記チャック解除装置の上記係合部分が、上記作動部材の一部を収容もしくは内蔵するための開口部または凹部を含むことを特徴とする請求項１〜５のいずれか一項に記載のチャック解除装置。
【請求項７】
上記開口部または凹部が、略円筒形の作動部材を軸方向に内蔵するように成形された凹みを含むことを特徴とする請求項６に記載のチャック解除装置。
【請求項８】
上記チャック解除装置が回転して上記開口位置とロック位置との間で上記ロック手段を運動させることを特徴とする請求項１〜７のいずれか一項に記載のチャック解除装置。
【請求項９】
上記ロック手段が、上記ロック位置において上記作動部材と係合する１つ以上のジョーを含むことを特徴とする請求項１〜８のいずれか一項に記載のチャック解除装置。
【請求項１０】
上記チャック解除装置が把持部を含むことを特徴とする請求項１〜９のいずれか一項に記載のチャック解除装置。
【請求項１１】
上記把持部が円筒形の手との係合部分を含むことを特徴とする請求項１０に記載のチャック解除装置。
【請求項１２】
上記係合部分が上記手の部分の端に接続された長方形部分を含んでおり、上記長方形部分が、上記把持部の長手方向の長さに沿って軸に対して略垂直配向を有する、２つ以上の横方向に突出するリブを含むことを特徴とする請求項１０または１１に記載のチャック解除装置。
【請求項１３】
上記チャック解除装置が接続装置を含んでおり、当該接続装置によって上記チャック解除装置が上記動力工具に解除可能に固定できることを特徴とする請求項１〜１２のいずれか一項に記載のチャック解除装置。
【請求項１４】
上記接続装置が円周方向に調節可能なリングを含むことを特徴とする請求項１３に記載のチャック解除装置。
【請求項１５】
上記接続装置が把持部を含むことを特徴とする請求項１３または１４に記載のチャック解除装置。
【請求項１６】
上記接続装置が、上記動力工具の前部に嵌合可能な補助またはサイドハンドルを含むことを特徴とする請求項１３〜１５のいずれか一項に記載のチャック解除装置。
【請求項１７】
上記動力工具の上記チャック本体が上記動力工具における凹部に収容されており、かつ、上記チャック解除装置の上記係合部分を凹部内に挿入できる上記チャック解除装置における細長い部分から延伸しており、当該凹部は上記係合部分と上記チャック本体との係合を可能にすることを特徴とする請求項１〜１６のいずれか一項に記載のチャック解除装置。
【請求項１８】
上記動力工具が解除可能かつ固定可能な前面を含んでおり、当該前面は、上記チャック本体を露出するために取り外し可能であって、それによって、上記解除装置における上記係合部分が上記チャック本体と係合可能となることを特徴とする請求項１〜１７のいずれか一項に記載のチャック解除装置。
【請求項１９】
上記動力工具が上記調節モードと上記作動モードとの間で切り替え可能であることを特徴とする請求項１〜１８のいずれか一項に記載のチャック解除装置。
【請求項２０】
上記添付の図面に従って実質的にここで説明されているような動力工具用のチャック解除装置。
【請求項２１】
動力工具のモータの作動によって運動するチャック本体を有するチャックと、上記チャック内に作動部材をロックするための、上記チャック本体と直接接続されたロック手段とを含む動力工具であって、
上記動力工具は、調節モードを有しており、当該調節モードにおいて、上記モータの作動によって上記チャック本体が運動して、上記作動部材が上記チャック内で解除されている開口位置と、上記ロック手段が上記チャック内に上記作動部材を固定しているロック位置との間で上記ロック手段を運動させ、
上記動力工具は、作動モードを有しており、当該作動モードにおいて、モータの作動によってチャック本体を運動させて上記作動部材の運動を駆動させて作業を行うように動作可能であって、
上記チャック本体が、上記チャック本体と直接係合する係合部分を有しており、ユーザが上記チャック本体を手動で運動させることができ、それによって、上記ロック手段が上記ロック位置と上記開口位置との間で運動することができる、動力工具用のチャック解除装置。
【請求項２２】
上記動力工具が上記調節モードと上記作動モードとの間で切り替え可能であることを特徴とする請求項２１に記載の動力工具。
【請求項２３】
上記チャック本体が、上記チャック解除装置のリブまたは溝と相互接続するための少なくとも１つのリブまたは溝を含むことを特徴とする請求項２１または２２に記載の動力工具。
【請求項２４】
上記係合部分が、上記チャック解除装置における突起を中に挿入することができる上記チャック本体における凹みを含むことを特徴とする請求項２１〜２３のいずれか一項に記載の動力工具。
【請求項２５】
上記凹みが上記チャック本体の前面にあることを特徴とする請求項２４に記載の動力工具。
【請求項２６】
上記係合部分が、上記チャック解除装置の中または上記チャック解除装置上に含まれる対応の形状の面または本体と直接係合可能な、成形された凹み、溝または穴を含むことを特徴とする請求項２１〜２５のいずれか一項に記載の動力工具。
【請求項２７】
上記チャック本体が、上記チャック解除装置におけるスパナ型ヘッドと直接係合するためのナット状部分を含むことを特徴とする請求項２１〜２６のいずれか一項に記載の動力工具。
【請求項２８】
上記チャック本体が上記動力工具における凹部の中に収容されており、上記チャック本体と上記チャック解除装置とが直接係合するために、当該凹部の中に上記チャック解除装置が挿入されることを特徴とする請求項２１〜２７のいずれか一項に記載の動力工具。
【請求項２９】
上記動力工具がドリルであることを特徴とする請求項２１〜２８のいずれか一項に記載の動力工具。
【請求項３０】
上記添付の図面に従って実質的にここに記載されているような動力工具。
【国際調査報告】
2009541068.tif 000016
2009541068.tif 000017
2009541068.tif 000018